(57)【要約】【課題】本考案は構造が簡単で、極めて安価に製作でき、且つ、折畳むことが出来るため、保管スペースが非常に少なくて済むと共に熱い飲料が入ったコップでも難なく手で容易に持つことが可能となり、更に使い捨て用として使用でき、表面側に宣伝文字などを表示すれば、景品や贈呈品としても重宝される紙コップ用ホルダーが提供出来る。【解決手段】紙コップ５を挿入する大きさが確保可能な上方広がりの略円錐台状に開口可能なホルダー部１と、該ホルダー部１の端部に形成した把持部２とから成り、且つ、該把持部２には、エンボス加工が施されてスベリ止め３が設けられた構造とする。また本考案品が、扁平台形状に展開した１枚の紙を中心で折畳み、その重なり合った端部をエンボス加工して形成すると良く、前記扁平台形状の上辺と下辺を円弧とするのが好ましい。更に前記ホルダー部１の表面側に宣伝文字４や図形を表示させると良い。【選択図】図１
0003153017.tif 000002
【実用新案登録請求の範囲】
【請求項１】
自動販売機の紙コップ（５）を挿入する大きさが確保可能な上方広がりの略円錐台状に開口可能なホルダー部（１）と、該ホルダー部（１）の端部に形成した把持部（２）とから成り、且つ、該把持部（２）には、エンボス加工が施されてスベリ止め（３）が設けられたことを特徴とする紙コップ用ホルダー。
【請求項２】
前記ホルダー部（１）と前記把持部（２）が、扁平台形状に展開した紙（Ｐ）を中心で折畳み、その重なり合った端部をエンボス加工して形成されると共にスベリ止め（３）も同時に設けられた請求項１記載の紙コップ用ホルダー。
【請求項３】
前記扁平台形状に展開した紙（Ｐ）の上辺（11）と下辺（12）が、円弧である請求項２記載の紙コップ用ホルダー。
【請求項４】
前記ホルダー部（１）の表面側に宣伝文字（４）や図形が表示された請求項１又は２記載の紙コップ用ホルダー。
【考案の詳細な説明】
【技術分野】
【０００１】
本考案は自動販売機から紙コップが出て、熱い飲料がその中に入った後に取出して飲む際に使用するのに便利な紙コップ用ホルダーに関する。
【背景技術】
【０００２】
一般に自動販売機から紙コップが出て、熱い飲料がその中に入った後に取出して飲む際は、コップが薄いのでその周壁が熱くなって持ちづらくなることが多くあった。この対応策として、コップを直接に手で持たずに、コップの外周を覆う周壁と、コップの底部を支持する底壁とを備えたホルダーを用意し、その中に前記コップを入れて飲む場合もあった。しかしながら、コップ内に熱い飲料が入っている場合、飲料の熱がコップを介在してホルダーに伝わり、ホルダー自体がかなり熱くなることもあった。
【０００３】
このため、飲料の熱を逃がす空間を設けることにより、飲料の熱がホルダーに直接伝導されないようにしたコップホルダーとして、特開平８―２１５０１７号が提案されている。この構造は、コップの外周を覆う周壁と、コップの底部を支持する底壁とを備え、周壁の上端開口部がコップの装着口とされたコップホルダーに於いて、底壁に空気導入口を形成し、コップとの間に空気導入口と装着口とを連通する空気流通路を形成すべくコップに当接するコップ支持突起を、底壁及び周壁に設けたものであり、更に周壁に設けたコップ支持突起を、コップの装着方向に延びるリブ状にすると共に、周方向に所定間隔をおいて配設するものである。
【０００４】
しかしながら特開平８―２１５０１７号のコップホルダーは、硬質プラスチック製で成型されたものであり、コップを繰返して出し入れして使用するものである。このため、コップホルダーは折畳むことが出来ず、持ち運びの際には嵩張るため、オフィスなどに設置した自動販売機の横に置くなど使用場所が限定されていた。またホルダー内には複数のコップ支持突起があるため、金型製作が複雑であると共に成型品の取出しがスムーズに行えず生産性に問題を生じる恐れがあるため、コスト高となっていた。
【先行技術文献】
【特許文献】
【０００５】
【特許文献１】特開平８―２１５０１７号公報
【考案の概要】
【考案が解決しようとする課題】
【０００６】
本考案は構造が簡単で組立てが不要であるので、非常に安価に製作出来ると共に折畳まれて積重することが出来るため、保管スペースが非常に少なくて済み、且つ、コップ内の熱が把持部まで殆ど伝わることがなく、熱い飲料が入ったコップでも難なく手で容易に持つことが可能となる紙コップ用ホルダーを提供することを目的とする。
【０００７】
本考案の他の目的は、持ち運びが容易で、且つ安価に提供できるため、使い捨て用として使用できると共に、表面に宣伝文字などを表示すれば、景品や贈呈品としても重宝される紙コップ用ホルダーを提供するにある。
【課題を解決するための手段】
【０００８】
本考案は上記現状に鑑みて成されたものであり、つまり、自動販売機の紙コップを挿入する大きさが確保可能な上方広がりの略円錐台状に開口可能なホルダー部と、該ホルダー部の端部に形成した把持部とから成り、且つ、該把持部には、エンボス加工が施されてスベリ止めが設けられた構造とする。また前記ホルダー部と把持部が、扁平台形状に展開した紙を中心で折畳み、その重なり合った端部をエンボス加工して形成されると共にスベリ止めも同時に設けられるものとしても良い。又、前記扁平台形状に展開した紙の上辺と下辺を円弧とするのが好ましく、前記ホルダー部の表面側に宣伝文字や図形を表示させると良い。尚、本考案で言う「紙コップ」は、自動販売機から出るコップを総称した名称として使用するため、紙コップ以外の合成樹脂製コップも含むものとする。又、本考案で言う「上方広がりの略円錐台状」とは、逆さの略円錐台状のことを指すものとする。
【考案の効果】
【０００９】
請求項１のように自動販売機の紙コップ（５）を挿入する大きさが確保可能な上方広がりの略円錐台状に開口可能なホルダー部（１）と、該ホルダー部（１）の端部に形成した把持部（２）とから成り、且つ、該把持部（２）には、エンボス加工が施されてスベリ止め（３）を設けることにより、構造が簡単で組立てが不要であるので、非常に安価に製作出来ると共に折畳まれて積重することが出来るため、持ち運びが便利で携帯用として利用でき、保管にスペースを取らず、且つ、コップ内の熱が把持部まで殆ど伝わることがない重宝なものとなる。
【００１０】
請求項２のようにホルダー部（１）と把持部（２）が、扁平台形状に展開した紙（Ｐ）の中心で折畳み、その重なり合った端部をエンボス加工して形成されると共にスベリ止め（３）も同時に設けられることにより、構造が極めて簡単で組立てが不要となるので、非常に安価に製作でき、使い捨て用としても利用出来ると共に折畳まれた状態で持ち運びが出来るものとなる。
【００１１】
請求項３に示すように扁平台形状に展開した紙（Ｐ）の上辺（11）と下辺（12）を円弧とすることにより、展開した紙（Ｐ）の中心で２つに折り、その重なり合った端部をエンボス加工して形成すれば、ホルダー部（１）の内部が逆さの略円錐台状になって紙コップ（５）の挿入がし易く、且つ、紙コップ（５）の支持が確実なものとなる。
【００１２】
請求項４に示すようにホルダー部（１）の表面側に宣伝文字（４）や図形を表示することにより、本考案品が景品や贈呈品としても重宝される商品となる。
【図面の簡単な説明】
【００１３】
【図１】本考案の実施形態の要部を示す説明図である。
【図２】本実施形態の展開した紙の上下辺が円弧であるもので形成された状態を示す説明図である。
【図３】本実施形態の展開した紙が扁平台形状のもので形成された状態を示す説明図である。
【考案を実施するための形態】
【００１４】
本考案は構造が簡単で非常に安価に製作出来ると共に保管スペースが非常に少なくて済み、且つ、コップ内の熱が把持部まで殆ど伝わることがなく、携帯用或いは使い捨て用として利用できるという目的を、扁平台形状に展開した紙を中心で折畳み、その重なり合った端部をエンボス加工することによって、ホルダー部と把持部及びスベリ止めを同時に形成することによって実現した。
【実施例１】
【００１５】
図１は本考案の実施形態を示す図であり、これに基づき説明する。(１)は自動販売機の紙コップ（５）を挿入する大きさが確保可能な上方広がりの略円錐台状に開口可能なホルダー部であり、該ホルダー部（１）は、図２に示す上辺（11）と下辺（12）を円弧にした略扁平台形状に展開する紙（Ｐ）が、その中心で２つ折りされて形成している。又、前記ホルダー部（１）は図３に示すような略扁平台形状に展開する紙（Ｐ）を使用しても良い。（２）はホルダー部（１）の端部に形成した把持部であり、該把持部（２）は前記展開した紙（Ｐ）が、その中心で２つ折りされて重なり合った端部をエンボス加工して接合されている。尚、前記ホルダー部（１）と把持部（２）を別々に形成し、ホルダー部（１）の端部に把持部（２）を接着剤で固定させて一体化したものとしても良い。この時、ホルダー部（１）の紙を薄くしても、丈夫な把持部（２）で紙コップ（５）を安定して支持できるものとなる。
【００１６】
（３）は把持部（２）にエンボス加工が施されて設けられたスベリ止めであり、該スベリ止め（３）は図中に示す三角波形状に限定されるものではなく、凹凸が設けられると共に展開した紙（Ｐ）の折り重なった端部同士が接合出来れば他の形状でも良い。尚、この時、折り重なった端部同士の接合に、接着剤を用いても良い。又、前記展開した紙（Ｐ）として、図３に示すように逆さの扁平台形状に展開させたものを用いる時は、折畳み側の端部は垂直状態となるが、重なり合った端部は上方が広くなるように傾斜させてエンボス加工を行う。更に前記展開した紙（Ｐ）の代りに、合成樹脂シートを用いてホルダー部（１）と把持部（２）及びスベリ止め（３）を同時に形成させたものとしても良い。（４）はホルダー部（１）の表面側（外周面）に表示された宣伝文字であり、該宣伝文字（４）は配布する会社の宣伝文句を表示するのが好ましい。尚、前記ホルダー部（１）の表面側には宣伝文字（４）以外に、図形やキャラクターなどを表示するものとしても良い。
【００１７】
次に本考案の使用方法について説明する。先ず始め自動販売機で熱いコーヒーを飲む場合について説明する。先ずコインを入れて所定の動作をすれば、紙コップ（５）の中に熱いコーヒーが入れられる。このコーヒーが入れられた紙コップ（５）を自動販売機から取出す。次に図２又は図３に示す矢印のように展開した紙（Ｐ）が折畳まれて完成した本考案品を用意し、そのホルダー部（１）を開き、該ホルダー部（１）の上辺（11）に前記紙コップ（５）の下端側から入れる。すると、ホルダー部（１）は紙コップ（５）の中間で抱持されるので、把持部（２）を片手に持てば、丁度コップの把手を持ってコーヒーを飲む状態となる。この時、紙コップ（５）内の熱いコーヒーの熱は把持部（２）まで殆ど伝わらないため、ゆっくりとコーヒーを楽しむことが出来るものとなるのである。
【００１８】
尚、前記紙コップ（５）内の熱いコーヒーを一気に飲まずに中断する場合、紙コップ（５）を机などの平らな場所に置いた際、本考案品は載置面に触れることなく浮いた状態となるため、一般のコップと同様に紙コップ（５）を置いても何ら問題がない。又、紙コップ（５）内の熱いコーヒーを飲み終えた後は、紙コップ（５）から本考案品を取外して保管しておけば、次にコーヒーなどの熱い飲料を自動販売機で購入して飲む際には、上記同様にして紙コップ（５）に本考案品を取付けて利用すれば良い。更に野外の自動販売機でコーヒーなどの熱い飲料を購入して紙コップ（５）で飲む際には、本考案品を予め携帯しておき、上記同様にして紙コップ（５）に本考案品を取付けて飲めば良いが、飲み終えた後、本考案品は安価であるので、そのままゴミ箱に捨てても良い。
【００１９】
このように本考案は構造が簡単で、極めて安価であると共に軽くて嵩張らないものであるため、携帯が容易であり、何処にでも持ち歩き、コーヒーなどの熱い飲料を自動販売機で購入して飲む際には、熱い飲料が入れられた紙コップ（５）に本考案品を取付けだけで、ゆったりした気分で飲料することが可能となる。また必要に応じて本考案品を気軽に捨てることも可能である。又、前記把持部（２）にスベリ止め（３）が設けられているので、把持部（２）が薄くても、手が滑って紙コップ（５）を落下させる恐れがないものとなる。
【符号の説明】
【００２０】
１  ホルダー部
11  上辺
12  下辺
２  把持部
３  スベリ止め
４  宣伝文字
５  紙コップ
Ｐ  展開した紙
【図１】
0003153017.tif 000003
【図２】
0003153017.tif 000004
【図３】
0003153017.tif 000005